(57)【要約】【課題】  着座中の坐骨部及び大腿部での感触が変化するようにして長時間着座しても坐骨部及び大腿部を痛くなりにくくし疲れにくくする。【解決手段】  中央の前後方向に溝２を形成するように互いに離間して配置され着座時に坐骨部及び大腿部を支持する多孔性クッション材からなる一片部１０及び他片部２０を有するとともに、一片部１０及び他片部２０を保持する保持シート３０を有したクッション本体１を備え、一片部１０及び他片部２０の各々を、着座時の坐骨部に対応する位置を通る前後方向の境界線１１、２１を境にして溝２側に形成される内側部１２、２２及び内側部１２、２２に連続形成される外側部１３、２３を備えて構成し、内側部１２、２２の比重を外側部１３、２３の比重より大きく形成し、内側部１２、２２及び外側部１３、２３の少なくとも坐骨部を支持する後側部１４、２４において外側部１３、２３の厚さを内側部１２、２２の厚さより厚く形成した。【選択図】図１
2011083308.tif 000002
【特許請求の範囲】
【請求項１】
中央の前後方向に溝を形成するように互いに離間して配置され着座時に坐骨部及び大腿部を支持する多孔性クッション材からなる一片部及び他片部を有するとともに、該一片部及び他片部を保持する保持シートを有したクッション本体を備えた椅子用クッションにおいて、
上記一片部及び他片部の各々を、着座時の坐骨部に対応する位置を通る前後方向の境界線を境にして上記溝側に形成される内側部及び該内側部に連続形成される外側部を備えて構成し、上記内側部及び外側部を同一材質で形成するとともに上記内側部の比重を外側部の比重より大きく形成し、上記内側部及び外側部の少なくとも坐骨部を支持する後側部において上記外側部の厚さを内側部の厚さより厚く形成したことを特徴とする椅子用クッション。
【請求項２】
上記一片部及び他片部の前側部を、前端に向かって漸次厚さが薄くなるように傾斜形成したことを特徴とする請求項１記載の椅子用クッション。
【請求項３】
上記保持シートを、ベースシートと、該ベースシートの上側に設けられ上記一片部及び他片部を夫々収納し互いに所定間隔離間して設けられる左右一対の袋部とを備えて構成したことを特徴とする請求項１または２記載の椅子用クッション。
【請求項４】
上記袋部を開閉可能に形成したことを特徴とする請求項３記載の椅子用クッション。
【請求項５】
上記クッション本体の上面に着脱手段を介して止着され該クッション本体の上面を被覆するカバーシートを備えたことを特徴とする請求項１乃至４何れかに記載の椅子用クッション。
【請求項６】
上記着脱手段を面状ファスナで構成し、該面状ファスナを、上記クッション本体の上面に設けられる一方ファスナと、上記カバーシートの下面に設けられる他方ファスナとを備えて構成したことを特徴とする請求項５記載の椅子用クッション。
【請求項７】
上記カバーシートの前端部をキルティング加工したことを特徴とする請求項５または６記載の椅子用クッション。
【請求項８】
上記カバーシートを、座部及び背もたれ部を有し該座部の後端部と背もたれ部の下端部との間に間隙が形成された椅子の当該座部に載置して取り付けるための取付部材を備えて構成したことを特徴とする請求項５乃至７何れかに記載の椅子用クッション。
【請求項９】
上記取付部材を、上記カバーシートの後端から後方に突出して設けられ上記椅子の間隙に差し込まれて上記椅子の座部及び背もたれ部に挾持されて保持される保持体と、該保持体を上記カバーシートに止着する止着体とを備えて構成したことを特徴とする請求項８記載の椅子用クッション。
【発明の詳細な説明】
【技術分野】
【０００１】
本発明は、例えば、車椅子，食卓用椅子，事務用椅子，車両用椅子，座椅子等の椅子の座部に載置され、着座時に坐骨部及び大腿部を支持する椅子用クッションに係り、特に、着座時の肛門に対応する位置に溝を形成した痔や産後等の患者に有用な椅子用クッションに関する。
【背景技術】
【０００２】
従来、この種の椅子用クッションとしては、例えば、特許文献１（特開２００４−１２１６０３号公報）に掲載されたものが知られている。図７に示すように、この椅子用クッションＣａは、中央の前後方向に溝１０２を形成するように互いに離間して配置され着座時に坐骨部及び大腿部を支持する多孔性クッション材からなる一片部１００及び他片部１０１を有するとともに、一片部１００及び他片部１０１を保持する保持シート１０３を有して構成されている。
一片部１００及び他片部１０１は、保持シート１０３の縦割り約半分の大きさに形成されるとともに、同一材質で均一に形成され、その厚さも均一に形成されており、この一片部１００及び他片部１０１の下面を保持シート１０３の上面に所定間隔離間させて一体形成する、若しくは、一片部１００及び他片部１０１の下面を保持シート１０３の上面に面状ファスナを介して所定間隔離間させて着脱可能に取り付けている。
【０００３】
この椅子用クッションＣａを椅子の座部に載置して着座すると、一片部１００及び他片部１０１で坐骨部及び大腿部が支持される。このとき、溝１０２が肛門に対応する位置に位置するようになるので、肛門にクッション材が接触することがなく、そのため、痔や産後等の患者が着座したとき、患部にクッション材が接触しないので、それだけ、患者が快適に着座することができる。
【先行技術文献】
【特許文献】
【０００４】
【特許文献１】特開２００４−１２１６０３号公報
【発明の概要】
【発明が解決しようとする課題】
【０００５】
しかしながら、この従来の椅子用クッションＣａにおいては、一片部１００及び他片部１０１は、同一材質で均一に形成され、その厚さも均一に形成されているので、着座中の坐骨部及び大腿部での感触が常時一定であり、そのため、長時間着座すると坐骨部及び大腿部が痛くなったり疲れやすくなったりするという問題があった。
【０００６】
本発明は、このような問題点に鑑みてなされたもので、着座中の坐骨部及び大腿部での感触が変化するようにして長時間着座しても坐骨部及び大腿部を痛くなりにくくし疲れにくくする椅子用クッションを提供することを目的とする。
【課題を解決するための手段】
【０００７】
このような目的を達成するため、本発明の椅子用クッションは、中央の前後方向に溝を形成するように互いに離間して配置され着座時に坐骨部及び大腿部を支持する多孔性クッション材からなる一片部及び他片部を有するとともに、該一片部及び他片部を保持する保持シートを有したクッション本体を備えた椅子用クッションにおいて、上記一片部及び他片部の各々を、着座時の坐骨部に対応する位置を通る前後方向の境界線を境にして上記溝側に形成される内側部及び該内側部に連続形成される外側部を備えて構成し、上記内側部及び外側部を同一材質で形成するとともに上記内側部の比重を外側部の比重より大きく形成し、上記内側部及び外側部の少なくとも坐骨部を支持する後側部において上記外側部の厚さを内側部の厚さより厚く形成した構成としている。
【０００８】
これにより、本発明の椅子用クッションを椅子の座部に載置して着座すると、一片部及び他片部で坐骨部及び大腿部が支持されるとともに、溝が肛門に対応する位置に位置するようになる。これによって、着座時には、溝が肛門に対応する位置に位置するようになるので、肛門にクッション材が接触することがなく、そのため、痔や産後等の患者が着座したとき、患部にクッション材が接触しないので、それだけ、患者が快適に着座することができる。この場合、一片部及び他片部は、内側部及び外側部が同一材質で形成されるとともに内側部の比重が外側部の比重より大きく形成されているので、内側部の密度が外側部の密度より高くなって内側部が外側部よりも硬く形成されることになり、そのため、着座時の坐骨部及び大腿部での感触が内側部と外側部とで異なるようになる。また、内側部が外側部よりも硬いので、着座中に外側部が下側に向かって若干撓むようになる。更に、一片部及び他片部は、その後側部において、外側部の厚さが内側部の厚さより厚く形成されているので、着座時の坐骨部及び大腿部での感触が内側部と外側部とで異なるようになる。更にまた、外側部が内側部よりも厚いので、着座中に内側部が下側に向かって若干撓むようになる。
【０００９】
即ち、着座時には、内側部と外側部との硬さ及び厚さの違いによって、坐骨部及び大腿部での感触が内側部と外側部とで異なるようになり、着座中には、内側部と外側部とが互いに撓むので、クッション本体が略フラットに保たれるとともに坐骨部及び大腿部での感触が常時変化するようになる。そのため、長時間着座しても坐骨部及び大腿部を痛くなりにくくすることができるとともに疲れにくくすることができる。また、クッション本体が略フラットに保たれているので安定感及び使用感を損なうことがない。
【００１０】
そして、必要に応じ、上記一片部及び他片部の前側部を、前端に向かって漸次厚さが薄くなるように傾斜形成した構成としている。
これにより、クッション本体に着座すると、一片部及び他片部が前端に向かって下り傾斜するように形成されているので、一片部及び他片部が大腿部に倣ってこれを支持することができ、大腿部をより確実に支持することができるので、支持を安定させることができ、そのため、着座姿勢が楽になり、それだけ、より一層安定感及び使用感を向上させることができる。
【００１１】
また、必要に応じ、上記保持シートを、ベースシートと、該ベースシートの上側に設けられ上記一片部及び他片部を夫々収納し互いに所定間隔離間して設けられる左右一対の袋部とを備えて構成している。袋部に一片部及び他片部を収納するだけなので、クッション本体の製造が比較的容易になる。また、袋部に一片部及び他片部を収納するだけで、一片部及び他片部間に所定間隔の溝が形成されるようになるので、この点でも、クッション本体の製造を容易にすることができる。
この場合、上記袋部を開閉可能に形成することが有効である。一片部及び他片部を袋部に容易に出し入れすることができるので、例えば、袋部に収納されている一片部及び他片部を、内側部及び外側部の比重や厚さの異なる一片部及び他片部に取り替えたい場合、容易に取り替えることができ、そのため、使用者に対応した一片部及び他片部を選択することができる。
【００１２】
更に、必要に応じ、上記クッション本体の上面に着脱手段を介して止着され該クッション本体の上面を被覆するカバーシートを備えた構成としている。
これにより、保持シートが汚れたり傷ついたりする事態を防止することができる。また、使用による汚れや傷はカバーシートに付くことになるので、カバーシートを取り替えるだけで良く、そのため、使用コストを低減させることができる。更に、カバーシートがクッション本体を被覆するので、椅子に載置させた後の見栄えを向上させることができる。
【００１３】
更にまた、必要に応じ、上記着脱手段を面状ファスナで構成し、該面状ファスナを、上記クッション本体の上面に設けられる一方ファスナと、上記カバーシートの下面に設けられる他方ファスナとを備えて構成している。
これにより、着脱手段を比較的簡易な構成とすることができる。また、面状ファスナなので、他方ファスナを一方ファスナの適宜の位置に取り付けることができ、そのため、一片部及び他片部の厚さや溝の幅によってカバーシートの取り付け位置を微調整することができるので、一片部及び他片部に対応した箇所にカバーシートを取り付けることができるとともに、カバーシートのクッション本体への着脱を比較的容易に行なうことができ、それだけ、取り扱いが極めて容易になる。
【００１４】
また、必要に応じ、上記カバーシートの前端部をキルティング加工した構成としている。
これにより、キルティング加工したので、カバーシートの前端部の強度を高めることができ、それだけ、カバーシートの形状を保持することができる。また、カバーシートの前端部が屈曲しやすくなり、そのため、椅子の前側に対応して屈曲するようになるので、カバーシートが椅子に馴染むようになり、それだけ、使用感を向上させることができる。
【００１５】
更に、必要に応じ、上記カバーシートを、座部及び背もたれ部を有し該座部の後端部と背もたれ部の下端部との間に間隙が形成された椅子の当該座部に載置して取り付けるための取付部材を備えて構成している。
これにより、座部の後端部と背もたれ部の下端部との間に間隙が形成された椅子に椅子用クッションを取り付ける場合、取付部材を介してカバーシートを椅子に取り付けることによりカバーシートを椅子に対して強固に取り付けることができ、このカバーシートにクッション本体が止着されているので、クッション本体を椅子に対して強固に取り付けることができる。
【００１６】
更にまた、必要に応じ、上記取付部材を、上記カバーシートの後端から後方に突出して設けられ上記椅子の間隙に差し込まれて上記椅子の座部及び背もたれ部に挾持されて保持される保持体と、該保持体を上記カバーシートに止着する止着体とを備えて構成している。
これにより、座部の後端部と背もたれ部の下端部との間に間隙が形成された椅子に椅子用クッションを取り付ける場合、椅子用クッションを椅子の座部に載置させるとともに、椅子の座部と背もたれ部との間隙に保持体を差し込む。この場合、保持体を差し込むだけなので、椅子用クッションを椅子に比較的容易に取り付けることができる。また、保持体は座部及び背もたれ部に挾持されて保持され、この保持体が止着体でカバーシートに止着されているので、止着体がストッパーの役目をし、カバーシートを椅子に対して強固に固定することができるとともに、カバーシートに止着されたクッション本体を椅子に対して強固に固定することができる。更に、保持体は本体の後端から後方に突出して間隙に差し込まれるので、保持体が椅子の座部及び背もたれ部の間に埋もれるようになり、そのため、取付部材が外観から見えにくくなり、それだけ、椅子用クッションを椅子に取り付けた後の見栄えを向上させることができる。
【発明の効果】
【００１７】
本発明の椅子用クッションによれば、着座すると一片部及び他片部で坐骨部及び大腿部が支持されるとともに溝が肛門に対応する位置に位置するようになり、肛門にクッション材が接触することがないので、痔や産後等の患者が着座したとき、患部にクッション材が接触せず、そのため、患者が快適に着座することができる。この場合、内側部と外側部との硬さ及び厚さの違いによって、坐骨部及び大腿部での感触が内側部と外側部とで異なるようになる。また、着座中には、内側部と外側部とが互いに撓むので、クッション本体が略フラットに保たれるとともに坐骨部及び大腿部での感触が常時変化するようになる。そのため、長時間着座しても坐骨部及び大腿部を痛くなりにくくすることができるとともに疲れにくくすることができる。また、クッション本体が略フラットに保たれているので安定感及び使用感を損なうことがない。
【図面の簡単な説明】
【００１８】
【図１】本発明の実施の形態に係る椅子用クッションを示し、下面側から見た分解斜視図である。
【図２】本発明の実施の形態に係る椅子用クッションを示し、上面側から見た分解斜視図である。
【図３】本発明の実施の形態に係る一片部または他片部を示し、（ａ）は平面図、（ｂ）は正面図、（ｃ）は右側面図、（ｄ）は左側面図である。
【図４】本発明の実施の形態に係る椅子用クッションを椅子に取り付ける斜視図である。
【図５】本発明の実施の形態に係る椅子用クッションを椅子に取り付けた状態で示す側面断面図である。
【図６】本発明の実施の形態に係る椅子用クッションを示し、（ａ）は側面断面図、（ｂ）は使用状態で示す側面断面図である。
【図７】従来の椅子用クッションの一例を示す図である。
【発明を実施するための形態】
【００１９】
以下、添付図面に基づいて本発明の実施の形態に係る椅子用クッションを説明する。
図１乃至図６には、本発明の実施の形態に係る椅子用クッションＣを示している。この椅子用クッションＣは、クッション本体１と、カバーシート４０と、取付部材５０とを備えて構成されている。本実施の形態では、図４及び図５に示すように、本椅子用クッションＣを、座部Ｗａ及び背もたれ部Ｗｂを有し座部Ｗａの後端部と背もたれ部Ｗｂの下端部との間に間隙Ｗｃが形成された椅子Ｗの座部Ｗａに取付部材５０を介して取り付けて載置して使用している。
【００２０】
クッション本体１は、図１乃至図６に示すように、中央の前後方向に溝２を形成するように互いに離間して配置され着座時に坐骨部及び大腿部を支持する多孔性クッション材からなる一片部１０及び他片部２０を有するとともに、一片部１０及び他片部２０を保持する保持シート３０を有して構成されている。
【００２１】
一片部１０は、矩形状に形成され、着座時の坐骨部に対応する位置を通る前後方向の境界線１１を境にして溝２側に形成される内側部１２及び内側部１２に連続形成される外側部１３を備えて構成されている。この内側部１２及び外側部１３は、ともにウレタンで形成されており、内側部１２の比重が外側部１３の比重より大きく形成されている。また、内側部１２及び外側部１３の少なくとも坐骨部を支持する後側部１４において、外側部１３の厚さが内側部１２の厚さより厚く形成されており、この厚さの違いによる段差が一片部１０の下面１６に形成されている。更に、この一片部１０は、その前側部１５が前端１５ａに向かって漸次厚さが薄くなるように下面１６が傾斜形成されている。更にまた、この一片部１０は、通気性の布材からなる袋（図示せず）に収納されている。
【００２２】
詳しくは、実施の形態では、一片部１０は、左右方向長さが１７０ｍｍ、前後方向長さが３００ｍｍの矩形状に形成されている。この一片部１０を構成する内側部１２は、その左右方向長さが８０ｍｍ、後側部１４の前後方向長さが１５０ｍｍ、前側部１５の前後方向長さが１５０ｍｍ、後側部１４の後端１４ａの厚さＨ１が２５ｍｍ、前側部１５の前端１５ａの厚さＨ２が１０ｍｍの矩形状に形成されている。また、外側部１３は、その左右方向長さが９０ｍｍ、後側部１４の前後方向長さが１５０ｍｍ、前側部１５の前後方向長さが１５０ｍｍ、後側部１４の後端１４ａの厚さＨ３が３０ｍｍ、前側部１５の前端１５ａの厚さＨ４が１０ｍｍの矩形状に形成されている。
【００２３】
即ち、内側部１２及び外側部１３は同一材質で形成されており、内側部１２の比重が外側部１３の比重より大きく形成されていることから、内側部１２の後側部１４におけるウレタンの密度が外側部１３の後側部１４におけるウレタンの密度より高いことになり、そのため、内側部１２の後側部１４が外側部１３の後側部１４より硬く形成されるようになる。
【００２４】
他片部２０は、矩形状に形成され、着座時の坐骨部に対応する位置を通る前後方向の境界線２１を境にして溝２側に形成される内側部２２及び内側部２２に連続形成される外側部２３を備えて構成されている。この内側部２２及び外側部２３は、ともにウレタンで形成されており、内側部２２の比重が外側部２３の比重より大きく形成されている。また、内側部２２及び外側部２３の少なくとも坐骨部を支持する後側部２４において、外側部２３の厚さが内側部２２の厚さより厚く形成されており、この厚さの違いによる段差が一片部１０の下面２６に形成されている。更に、この一片部１０は、その前側部２５が前端２５ａに向かって漸次厚さが薄くなるように下面２６が傾斜形成されている。更にまた、この他片部２０は、通気性の布材からなる袋（図示せず）に収納されている。
【００２５】
詳しくは、実施の形態では、他片部２０は、左右方向長さが１７０ｍｍ、前後方向長さが３００ｍｍの矩形状に形成されている。この他片部２０を構成する内側部２２は、その左右方向長さが８０ｍｍ、後側部２４の前後方向長さが１５０ｍｍ、前側部２５の前後方向長さが１５０ｍｍ、後側部２４の後端２４ａの厚さＨ１が２５ｍｍ、前側部２５の前端２５ａの厚さＨ２が１０ｍｍの矩形状に形成されている。また、外側部２３は、その左右方向長さが９０ｍｍ、後側部２４の前後方向長さが１５０ｍｍ、前側部２５の前後方向長さが１５０ｍｍ、後側部２４の後端２４ａの厚さＨ３が３０ｍｍ、前側部２５の前端２５ａの厚さＨ４が１０ｍｍの矩形状に形成されている。
【００２６】
即ち、内側部２２及び外側部２３は同一材質で形成されており、内側部２２の比重が外側部２３の比重より大きく形成されていることから、内側部２２の後側部２４におけるウレタンの密度が外側部２３の後側部２４におけるウレタンの密度より高いことになり、そのため、内側部２２の後側部２４が外側部２３の後側部２４より硬く形成されるようになる。
【００２７】
保持シート３０は、ベースシート３１と、ベースシート３１の上側に設けられ一片部１０及び他片部２０を夫々収納し互いに所定間隔離間して設けられる左右一対の袋部３２とを備えて構成されている。
【００２８】
ベースシート３１は、左右方向長さが４２０ｍｍ、前後方向長さが３２０ｍｍの矩形状に形成され、外周縁部に１０ｍｍの額縁３１ａが形成されている。また、一対の袋部３２は、左右方向長さが１７０ｍｍ、前後方向長さが３００ｍｍに形成され、夫々額縁３１ａに沿って設けられている。この一対の袋部３２は６０ｍｍ離間して設けられており、この一対の袋部３２に一片部１０及び他片部２０を夫々収納したとき、ベースシート３１の中央の前後方向に左右方向長さが６０ｍｍ、前後方向長さが３２０ｍｍの溝２が形成されるようになる。
【００２９】
また、袋部３２は、保持シート３０に開閉手段３３を介して開閉可能に形成されている。詳しくは、保持シート３０の下面３４に、開閉手段３３としてのファスナ３３ａが設けられており、このファスナ３３ａの開閉により、一片部１０及び他片部２０を袋部３２に出し入れ可能にしている。
【００３０】
カバーシート４０は、図１，図２及び図４乃至図６に示すように、クッション本体１の上面３を被覆するもので、クッション本体１の上面３に着脱手段４３を介して止着されている。このカバーシート４０は、左右方向長さが４７０ｍｍ、前後方向長さが４５０ｍｍの矩形状に形成され、その前端部４１がキルティング加工されている。
【００３１】
着脱手段４３は面状ファスナ４４で構成されている。詳しくは、この面状ファスナ４４は、クッション本体１の上面３に設けられる一方ファスナ４４ａと、カバーシート４０の下面４５に設けられる他方ファスナ４４ｂとを備えて構成されている。
【００３２】
一方ファスナ４４ａは、保持シート３０の前後方向に延びる矩形状に形成され、保持シート３０の上面３であって、溝２を形成するベースシート３１の中央及びベースシート３１の中央を中心に左右対称位置に一対の袋部３２に設けられている。
【００３３】
他方ファスナ４４ｂは、カバーシート４０の前後方向に延びる矩形状に形成され、カバーシート４０の下面４５であって、カバーシート４０の中央に設けられるとともに、このカバーシート４０の中央を中心に左右対称位置に一対設けられている。
【００３４】
取付部材５０は、図１，図２，図４及び図５に示すように、カバーシート４０の後端４２から後方に突出して設けられ椅子Ｗの間隙Ｗｃに差し込まれて椅子Ｗの座部Ｗａ及び背もたれ部Ｗｂに挾持されて保持される保持体５１と、保持体５１をカバーシート４０に止着する止着体５２とを備えて構成されている。
【００３５】
保持体５１は、弾性変形可能な弾性部材を用いて棒状に形成されている。本実施の形態では、保持体５１は樹脂パイプで形成されている。
【００３６】
止着体５２は、保持体５１から延び保持体５１の軸方向に平行な方向の表裏面を有した可撓性の帯状部材で形成され、カバーシート４０の下面４５に止着手段５４を介して着脱可能に止着されている。実施の形態では、この止着体５２は、その一端部５０ａに保持体５１を収容する袋状の収容部５３が設けられ、この収容部５３に樹脂パイプからなる保持体５１が収容されている。
【００３７】
止着手段５４は、面状ファスナ５５で構成されている。詳しくは、この面状ファスナ５５は、カバーシート４０の下面４５に設けられる一方ファスナ５５ａと、取付部材５０の止着体５２に設けられる他方ファスナ５５ｂとを備えて構成されている。
【００３８】
一方ファスナ５５ａは、カバーシート４０の左右方向に延びる矩形状に形成され、カバーシート４０の後端４２側の中央部にカバーシート４０の後端縁に沿って左右方向に延びて設けられている。
他方ファスナ５５ｂは、止着体５２の長手方向に沿う方向に延びる矩形状に形成され、止着体５２の左右両端部に一対設けられている。
【００３９】
また、取付部材５０を製造するときは、帯状部材を適宜切断縫製して、一端部５０ａに袋状の収容部５３を作り、その収容部５３に保持体５１としての樹脂パイプを収納して縫合する。この場合、収容部５３に保持体５１を収容するだけなので、取付部材５０の製造が比較的容易に行なわれる。また、保持体５１を樹脂パイプで構成したので、保持体５１を比較的低コストで製造することができる。
また、製造時には、カバーシート４０と取付部材５０とを夫々別途作成するので、一体に作成する場合に比較して製造が極めて容易に行なわれる。
【００４０】
従って、この実施の形態に係る椅子用クッションＣを椅子Ｗに取り付けるときは、先ず、袋部３２に一片部１０及び他片部２０を収納してクッション本体１を形成する。詳しくは、クッション本体１の袋部３２のファスナ３３ａを開にし、一片部１０及び他片部２０を袋部３２に収納してファスナ３３ａを閉にする。この場合、袋部３２に一片部１０及び他片部２０を収納するだけなので、クッション本体１の形成が比較的容易になる。また、袋部３２に一片部１０及び他片部２０を収納するだけで、一片部１０及び他片部２０間に所定間隔の溝２が形成されるようになるので、この点でも、クッション本体１の形成を容易にすることができる。更に、袋部３２を開閉可能に形成したので、一片部１０及び他片部２０を袋部３２に容易に出し入れすることができる。
【００４１】
次に、取付部材５０を止着手段５４によりカバーシート４０の適宜の箇所に取り付ける。この場合、一方ファスナ５５ａがカバーシート４０の後端縁に沿って左右方向に延びて設けられているので、他方ファスナ５５ｂを一方ファスナ５５ａの適宜の位置に取り付けることができ、そのため、取付部材５０の左右位置を微調整することができるので、椅子Ｗの座部Ｗａの形状や間隙Ｗｃの形状に対応した箇所に取り付けることができるとともに、止着手段５４が比較的簡易な構成である面状ファスナ５５であるので、取付部材５０のカバーシート４０への着脱を比較的容易に行なうことができ、それだけ、取り扱いが極めて容易になる。
【００４２】
それから、取付部材５０を取り付けたカバーシート４０を着脱手段４３によりクッション本体１に取り付ける。ベースシート３１の中央に設けられた一方ファスナ４４ａとカバーシート４０の中央に設けられた他方ファスナ４４ｂとを対応させて取り付けるとともに、一対の袋部３２に設けられた一対の一方ファスナ４４ａとカバーシート４０の中央を中心に左右対称位置に設けられた一対の他方ファスナ４４ｂとを対応させて取り付ける。この場合、着脱手段４３が比較的簡易な構成である面状ファスナ４４であるので、他方ファスナ４４ｂを一方ファスナ４４ａの適宜の位置に取り付けることができ、そのため、一片部１０及び他片部２０の厚さや溝２の幅によってカバーシート４０の取り付け位置を微調整することができるので、一片部１０及び他片部２０に対応した箇所にカバーシート４０を取り付けることができるとともに、カバーシート４０のクッション本体１への着脱を比較的容易に行なうことができ、それだけ、取り扱いが極めて容易になる。
【００４３】
そして、図４及び図５に示すように、椅子用クッションＣを椅子Ｗの座部Ｗａに載置させるとともに、椅子Ｗの座部Ｗａと背もたれ部Ｗｂとの間隙Ｗｃに保持体５１を差し込む。この場合、保持体５１を差し込むだけなので、椅子用クッションＣを椅子Ｗに比較的容易に取り付けることができる。また、保持体５１は弾性部材で棒状に形成されているので、保持体５１を間隙Ｗｃに差し込みやすく、間隙Ｗｃが狭く形成された椅子Ｗであっても、保持体５１が弾性変形して差し込まれるので、確実に保持体５１を間隙Ｗｃに差し込むことができる。
【００４４】
この状態では、図５に示すように、保持体５１は座部Ｗａ及び背もたれ部Ｗｂに挾持されて保持され、この保持体５１が止着体５２でカバーシート４０に止着されているので、止着体５２がストッパーの役目をし、カバーシート４０が椅子Ｗに対して強固に固定される。このカバーシート４０にクッション本体１が止着されているので、クッション本体１を椅子Ｗに対して強固に固定することができる。また、止着体５２がカバーシート４０の下面４５に止着されているので、クッション本体１とカバーシート４０とによって止着体５２が挾持されるようになり、そのため、止着体５２をカバーシート４０に確実に止着させることができ、それだけ、クッション本体１及びカバーシート４０が椅子Ｗに対して強固に固定される。更に、止着体５２は可撓性部材なので、椅子Ｗの座部Ｗａの後端部にフィットするようになり、そのため、より一層確実にクッション本体１及びカバーシート４０を椅子Ｗの座部Ｗａに取り付けることができる。
【００４５】
また、保持体５１はカバーシート４０の後端４２から後方に突出して間隙Ｗｃに差し込まれるので、保持体５１が椅子Ｗの座部Ｗａ及び背もたれ部Ｗｂの間に埋もれるようになり、そのため、取付部材５０が外観から見えにくくなり、それだけ、椅子用クッションＣを椅子に取り付けた後の見栄えを向上させることができる。
【００４６】
このように取り付けられた本発明の椅子用クッションＣに着座すると、図６（ｂ）に示すように、一片部１０及び他片部２０で坐骨部及び大腿部が支持されるとともに、溝２が肛門に対応する位置に位置するようになる。これによって、着座時には、溝２が肛門に対応する位置に位置するようになるので、肛門にクッション材が接触することがなく、そのため、痔や産後等の患者が着座したとき、患部にクッション材が接触しないので、それだけ、患者が快適に着座することができる。この場合、一片部１０及び他片部２０は内側部１２、２２が外側部１３、２３よりも硬く形成されているので、着座時の坐骨部及び大腿部での感触が内側部１２、２２と外側部１３、２３とで異なるようになる。また、内側部１２、２２が外側部１３、２３よりも硬いので、着座中に外側部１３、２３が下側に向かって若干撓むようになる。更に、一片部１０及び他片部２０は、その後側部１４、２４において、外側部１３、２３の厚さが内側部１２、２２の厚さより厚く形成されているので、着座時の坐骨部及び大腿部での感触が内側部１２、２２と外側部１３、２３とで異なるようになる。更にまた、外側部１３、２３が内側部１２、２２よりも厚いので、着座中に内側部１２、２２が下側に向かって若干撓むようになる。
【００４７】
即ち、着座時には、内側部１２、２２と外側部１３、２３との硬さ及び厚さの違いによって、坐骨部及び大腿部での感触が内側部１２、２２と外側部１３、２３とで異なるようになり、着座中には、内側部１２、２２と外側部１３、２３とが互いに撓むので、クッション本体１が略フラットに保たれるとともに坐骨部及び大腿部での感触が常時変化するようになる。そのため、長時間着座しても坐骨部及び大腿部を痛くなりにくくすることができるとともに疲れにくくすることができる。また、クッション本体１が略フラットに保たれているので安定感及び使用感を損なうことがない。
【００４８】
更に、本椅子用クッションＣに着座すると、一片部１０及び他片部２０が前端１５ａ、２５ａに向かって下り傾斜するように形成されているので、一片部１０及び他片部２０が大腿部に倣ってこれを支持することができ、大腿部をより確実に支持することができるので、支持を安定させることができ、そのため、着座姿勢が楽になり、それだけ、より一層安定感及び使用感を向上させることができる。
【００４９】
更にまた、カバーシート４０は、前端部４１がキルティング加工されているので、カバーシート４０の前端部４１の強度を高めることができ、それだけ、カバーシート４０の形状を保持することができる。また、キルティング加工したことにより、カバーシート４０の前端部４１が屈曲しやすくなり、そのため、椅子Ｗの前側に対応して屈曲するようになるので、カバーシート４０が椅子Ｗに馴染むようになり、それだけ、使用感を向上させることができる。更に、カバーシート４０により、保持シート３０が汚れたり傷ついたりする事態を防止することができる。即ち、使用による汚れや傷はカバーシート４０に付くことになるので、この場合、カバーシート４０を取り替えるだけで良く、そのため、使用コストを低減させることができる。更にまた、カバーシート４０がクッション本体１を被覆するので、椅子Ｗに載置させたときの見栄えを向上させることができる。
【００５０】
また、取付部材５０は、止着体５２をカバーシート４０の下面４５に止着して取り付けているので、着座時に止着体５２が邪魔になることがなく、それだけ、使用感が向上する。更に、使用時に取付部材５０が劣化したり破損したりした場合、取付部材５０だけを交換することができるので、取付部材５０をカバーシート４０に一体形成した場合に比較して、取付部材５０の保守が容易になる。更にまた、着座時に坐骨部及び大腿部が前後左右に動こうとしても、クッション本体１及びカバーシート４０は取付部材５０により椅子Ｗに対して強固に取り付けられているので、椅子Ｗの座部Ｗａからクッション本体１及びカバーシート４０が前方にずれ落ちる事態を防止することができる。
【００５１】
また、本発明の椅子用クッションＣは、袋部３２が開閉可能であるので、内側部１２、２２及び外側部１３、２３の比重や厚さの異なる一片部１０及び他片部２０を用意し、この交換用一片部１０及び交換用他片部２０を袋部３２に収納することによっても形成できる。即ち、例えば、袋部３２に収納されている一片部１０及び他片部２０を、内側部１２、２２及び外側部１３、２３の比重や厚さの異なる一片部１０及び他片部２０に取り替えたい場合、容易に取り替えることができ、そのため、使用者に対応した一片部１０及び他片部２０を選択することができる。
【００５２】
この交換用一片部１０及び交換用他片部２０は、例えば、交換用一片部１０が、その左右方向長さ及び前後方向長さが同一であり、内側部１２が、その後側部１４の後端１４ａの厚さＨ１が２０ｍｍ、前側部１５の前端１５ａの厚さＨ２が５ｍｍに形成され、外側部１３が、その後側部１４の後端１４ａの厚さＨ３が２５ｍｍ、前側部１５の前端１５ａの厚さＨ４が５ｍｍに形成されており、交換用他片部２０が、その左右方向長さ及び前後方向長さが同一であり、内側部２２が、その後側部２４の後端２４ａの厚さＨ１が２０ｍｍ、前側部２５の前端２５ａの厚さＨ２が５ｍｍに形成され、外側部２３が、その後側部２４の後端２４ａの厚さＨ３が２５ｍｍ、前側部２５の前端２５ａの厚さＨ４が５ｍｍに形成されている。
【００５３】
この交換用一片部１０及び交換用他片部２０を袋部３２に収納するときは、クッション本体１の袋部３２のファスナ３３ａを開にし、収納されている一片部１０及び他片部２０を取り出す。そして、交換用一片部１０及び交換用他片部２０を袋部３２に収納してファスナ３３ａを閉にすることにより行なう。この場合、袋部３２が開閉可能であるので、一片部１０及び他片部２０を袋部３２に容易に出し入れすることができる。
【００５４】
この交換用一片部１０及び交換用他片部２０を袋部３２に収納すると、溝２の深さ（一片部１０及び他片部２０の内側部１２、２２の厚さ）が浅くなり、椅子用クッションＣがよりフラットになるので、座り心地が向上し、そのため、より一層使用感を向上させることができる。特に、本発明の椅子用クッションＣは、例えば、痔や産後等の患者が使用する場合に最適であるが、患者によって溝２の深さ（一片部１０及び他片部２０の内側部１２、２２の厚さ）を選択することにより、より一層使用感を向上させることができる。
【００５５】
また、非使用時には、止着体５２を止着手段５４により取り外し、取付部材５０をカバーシート４０から取り外すことができるので、例えば、椅子Ｗに用いない場合等に取付部材５０が邪魔になることがなく、そのため、クッション本体１を、例えば、座布団代わりに使用する等、種々に使用することが出来るので、それだけ、汎用性が向上する。
【００５６】
尚、上記実施の形態において、椅子用クッションＣを座部Ｗａ及び背もたれ部Ｗｂを有し座部Ｗａの後端部と背もたれ部Ｗｂの下端部との間に間隙Ｗｃが形成された椅子Ｗに取り付けて載置して使用したが、必ずしもこれに限定されるものではなく、例えば、間隙Ｗｃが形成されていない椅子Ｗであっても良く、また、背もたれ部Ｗｂを有しない椅子Ｗであっても良く、適宜変更して差支えない。この場合、取付部材５０をカバーシート４０から取り外し、クッション本体１とカバーシート４０のみを椅子Ｗの座部Ｗａに載置して使用すれば良い。
【００５７】
尚また、上記実施の形態における一片部１０，他片部２０，保持シート３０，カバーシート４０の寸法は、上記したものに限定されず、取り付ける椅子Ｗに対応して適宜変更して差支えない。
また、上記実施の形態において、一片部１０及び他片部２０をウレタンで形成したが、必ずしもこれに限定されるものではなく、多孔性のクッション材であれば良く、適宜変更して差支えない。
【符号の説明】
【００５８】
Ｃ  椅子用クッション
Ｗ  椅子
Ｗａ  座部
Ｗｂ  背もたれ部
Ｗｃ  間隙
１  クッション本体
２  溝
３  上面
１０  一片部
１１  境界線
１２  内側部
１３  外側部
１４  後側部
１４ａ  後端
１５  前側部
１５ａ  前端
１６  下面
２０  他片部
２１  境界線
２２  内側部
２３  外側部
２４  後側部
２４ａ  後端
２５  前側部
２５ａ  前端
２６  下面
３０  保持シート
３１  ベースシート
３１ａ  額縁
３２  袋部
３３  開閉手段
３３ａ  ファスナ
３４  下面
４０  カバーシート
４１  前端部
４２  後端
４３  着脱手段
４４  面状ファスナ
４４ａ  一方ファスナ
４４ｂ  他方ファスナ
４５  下面
５０  取付部材
５０ａ  一端部
５１  保持体
５２  止着体
５３  収容部
５４  止着手段
５５  面状ファスナ
５５ａ  一方ファスナ
５５ｂ  他方ファスナ
【図１】
2011083308.tif 000003
【図２】
2011083308.tif 000004
【図３】
2011083308.tif 000005
【図４】
2011083308.tif 000006
【図５】
2011083308.tif 000007
【図６】
2011083308.tif 000008
【図７】
2011083308.tif 000009